(57)【要約】【課題】  主要目的の多値画像と文字メモ添付のための２値画像とを簡単に作成できるようにする。【解決手段】  ＣＣＤ３は被写体を撮像し撮像データを出力する。ＤＳＰ部５は撮像データを多値階調画像データに変換する。また、例えば付加情報を書いた文字板を別に撮像し、その撮像データをＤＳＰ部５で２値階調画像データに変換する。上記多値階調画像データと２値階調画像データを対応付けてメモリカード１１に記憶する。記憶された多値階調画像データをスイッチ部１３から指定すると、この指定に応じて２値階調画像データが、対応する前記多値階調画像データのファイルに格納され、２値画像添付ファイルとしてメモリカードに記録される。【選択図】  図１
2006254389.tif 000002
【特許請求の範囲】
【請求項１】
被写体を撮像し撮像データを出力する撮像手段と、
前記撮像データを多値階調画像データに変換する第１の画像処理手段と、
前記撮像データを２値階調画像データに変換する第２の画像処理手段と、
前記多値階調画像データ及び２値階調画像データを対応付けて記憶する記憶手段と、
前記記憶された多値階調画像データまたは２値階調画像データを指定する指定手段と、
前記指定に応じて互いに対応する前記多値階調画像データと２値階調画像データを同じファイル内に格納し２値画像添付ファイルとして記録する２値画像添付記録手段とを有することを特徴とする撮像装置。
【請求項２】
撮像中の画像または前記記憶手段内の画像データを表示する表示手段を設け、
前記２値添付記録手段は、前記指定された記憶手段内の多値階調画像データを前記表示手段に表示させると共に、前記表示手段の表示画面の一部に前記撮像中の画像を表示させ、この状態で撮影が実行されたとき、その撮像画像を前記第２の画像処理手段により２値階調画像データに変換させ、該２値階調画像データを前記表示中の多値階調画像データと同じファイル内に格納して２値画像添付ファイルとして記録することを特徴とする請求項１記載の撮像装置。
【請求項３】
前記表示画面の一部に前記撮像中の画像を表示する際に、表示画面の一部における前記撮像中の画像の表示位置及び大きさの少なくとも一方を変更する変更手段を有することを特徴とする請求項２記載の撮像装置。
【請求項４】
前記２値階調画像データを多値階調画像データと同じファイル内に格納する際に、個別のデータエリアに記録することを特徴とする請求項１から３のいずれか１項に記載の撮像装置。
【請求項５】
前記２値階調画像データを多値階調画像データと同じファイル内に格納する際に、前記多値階調画像データの一部に２値階調画像データを合成して記録することを特徴とする請求項１から３のいずれか１項に記載の撮像装置。
【請求項６】
前記２値画像添付ファイルの多値階調画像データを再生して前記表示手段に表示し、その際２値画像添付ファイルであることを表示する再生手段と、
前記表示の際、前記２値画像添付ファイルに添付されている２値画像データも再生表示するか否かを選択する選択手段とを有することを特徴とする請求項１から５のいずれか１項に記載の撮像装置。
【請求項７】
文字コードを入力する文字コード入力手段を有し、入力された文字コードデータと多値画像データを前記２値画像添付ファイルに格納することを特徴とする請求項１から６のいずれか１項に記載の撮像装置。
【請求項８】
前記２値画像添付記録ファイル内の２値階調画像データからコードデータを特定のコードデータに変換し、変換されたコードデータと多値画像データを同一ファイルに格納することを特徴とする請求項１から７のいずれか１項に記載の撮像装置。
【請求項９】
撮像後に前記２値階調画像データを一時記憶する一時記憶手段と、該一時記憶した２値階調画像データを前記２値画像添付ファイルとして前記記憶手段に記録するかしないかを選択する選択手段とを有することを特徴とする請求項１から８のいずれか１項に記載の撮像装置。
【請求項１０】
多値階調画像データと２値階調画像データとが２値画像添付ファイルとして記憶された２値画像添付記憶手段と、
画像を表示する表示手段と、
前記２値画像添付ファイルの多値階調画像データを再生して前記表示手段に表示し、その際２値画像添付ファイルであることを表示する再生手段と、
前記表示の際、前記２値画像添付ファイルに添付されている２値画像データも再生表示するか否かを選択する選択手段とを有することを特徴とする画像再生装置。
【請求項１１】
文字コードを入力する文字コード入力手段を設け、入力された文字コードデータと多値画像データを前記２値画像添付ファイルに格納することを特徴とする請求項１０記載の画像再生装置。
【請求項１２】
前記２値画像添付記録ファイル内の２値階調画像データからコードデータを特定のコードデータに変換し、変換されたコードデータと多値画像データを同一ファイルに格納することを特徴とする請求項１０または１１記載の画像再生装置。
【請求項１３】
前記２値画像添付記憶手段は、画像再生装置に着脱可能であることを特徴とする請求項１０から１２のいずれか１項に記載の画像再生装置。
【請求項１４】
被写体を撮像し撮像データを出力する撮像処理と、
前記撮像データを多値階調画像データに変換する第１の画像処理と、
前記撮像データを２値階調画像データに変換する第２の画像処理と、
前記多値階調画像データ及び２値階調画像データを対応付けて記憶する記憶処理と、
前記記憶された多値階調画像データまたは２値階調画像データを指定する指定処理と、
前記指定に応じて互いに対応する前記多値階調画像データと２値階調画像データを同じファイル内に格納し２値画像添付ファイルとして記録する２値画像添付記録処理とをコンピュータに実行させるプログラム。
【請求項１５】
多値階調画像データと２値階調画像データとが２値画像添付ファイルにおける多値階調画像データを再生して表示し、その際２値画像添付ファイルであることを表示する再生表示処理と、
前記表示の際、前記２値画像添付ファイルに添付されている２値画像データも再生表示するか否かを選択する選択処理とをコンピュータに実行させるプログラム。
【発明の詳細な説明】
【技術分野】
【０００１】
本発明は、文字情報を付加できるデジタルスチルカメラ等の撮像装置、撮像した画像を再生する画像再生装置、これらの装置で用いられるプログラムに関するものである。
【背景技術】
【０００２】
デジタルカメラで撮影した場合にその主画像データに付加情報を付けたい場合がある。
例えば、建設現場の画像、日付、施工内容の説明などである。主画像に情報を付加する技術は過去にもある。デジタルカメラは音声記録機能を持つものも多く、画像に音声データを付けた音声メモ付き撮影も可能である（例えば、特許文献１参照）。また、カメラ内に画像に付随する情報を格納しておくメモリを持ち、撮影画像に対して、操作選択して 情報を付加する技術もある（例えば、特許文献２参照）。また、カメラの釦操作で文字入力させたりする手段も考えられる。
【０００３】
一方、デジタルカメラには、撮像画像を多値画像データに変換するのではなく、２値画像データに変換できるカメラもある。２値画像は特に文字を撮影するには最適である。多値画像データのその画素データが周辺画素データの平均より大きければ“１”に、小さければ“０”にすることで、２値階調の画像データに変換できる。
【特許文献１】特開平１１−１３６６２３号公報
【特許文献２】特開２００１−１５７０２５号公報
【発明の開示】
【発明が解決しようとする課題】
【０００４】
しかし、特許文献１のように主画像の付加情報が音声データでは、付加情報をいちいち聞く作業が必要で時間がとられる。また、特許文献２のようにメモリ内に付加するデータを入力しておくのは、付加データの内容が制限されることになる。また、付加データを入力する際のカメラの釦入力操作は煩雑で使用勝手が悪い。
本発明は、主要目的の多値画像（主画像）と文字メモ添付のための２値画像（添付画像）を簡単に作成できるようにすることを目的とする。
【課題を解決するための手段】
【０００５】
請求項１の発明による撮像装置は、被写体を撮像し撮像データを出力する撮像手段と、前記撮像データを多値階調画像データに変換する第１の画像処理手段と、前記撮像データを２値階調画像データに変換する第２の画像処理手段と、前記多値階調画像データ及び２値階調画像データを対応付けて記憶する記憶手段と、前記記憶された多値階調画像データまたは２値階調画像データを指定する指定手段と、前記指定に応じて互いに対応する前記多値階調画像データと２値階調画像データを同じファイル内に格納し２値画像添付ファイルとして記録する２値画像添付記録手段とを有することを特徴とする。
【０００６】
請求項２の発明による撮像装置は、請求項１記載の発明において、撮像中の画像または前記記憶手段内の画像データを表示する表示手段を設け、前記２値添付記録手段は、前記指定された記憶手段内の多値階調画像データを前記表示手段に表示させると共に、前記表示手段の表示画面の一部に前記撮像中の画像を表示させ、この状態で撮影が実行されたとき、その撮像画像を前記第２の画像処理手段により２値階調画像データに変換させ、該２値階調画像データを前記表示中の多値階調画像データと同じファイル内に格納して２値画像添付ファイルとして記録することを特徴とする。
【０００７】
請求項３の発明による撮像装置は、請求項２記載の発明において、前記表示画面の一部に前記撮像中の画像を表示する際に、表示画面の一部における前記撮像中の画像の表示位置及び大きさの少なくとも一方を変更する変更手段を有することを特徴とする。
請求項４の発明による撮像装置は、請求項１から３のいずれか１項に記載発明において、前記２値階調画像データを多値階調画像データと同じファイル内に格納する際に、個別のデータエリアに記録することを特徴とする。
【０００８】
請求項５の発明による撮像装置は、請求項１から３のいずれか１項に記載の発明において、前記２値階調画像データを多値階調画像データと同じファイル内に格納する際に、個別のデータエリアに記録することを特徴とする。
請求項６の発明による撮像装置は、請求項１から５のいずれか１項に記載の発明において、前記２値階調画像データを多値階調画像データと同じファイル内に格納する際に、前記多値階調画像データの一部に２値階調画像データを合成して記録することを特徴とする。
【０００９】
請求項７の発明による撮像装置は、請求項１から６のいずれか１項に記載の発明において、文字コードを入力する文字コード入力手段を有し、入力された文字コードデータと多値画像データを前記２値画像添付ファイルに格納することを特徴とする。
請求項８の発明による撮像装置は、請求項１から７のいずれか１項に記載の発明において、前記２値画像添付記録ファイル内の２値階調画像データからコードデータを特定のコードデータに変換し、変換されたコードデータと多値画像データを同一ファイルに格納することを特徴とする。
【００１０】
請求項９の発明による撮像装置は、請求項１から８のいずれか１項に記載の発明において、撮像後に前記２値階調画像データを一時記憶する一時記憶手段と、該一時記憶した２値階調画像データを前記２値画像添付ファイルとして前記記憶手段に記録するかしないかを選択する選択手段とを有することを特徴とする。
【００１１】
請求項１０の発明による画像再生装置は、多値階調画像データと２値階調画像データとが２値画像添付ファイルとして記憶された２値画像添付記憶手段と、画像を表示する表示手段と、前記２値画像添付ファイルの多値階調画像データを再生して前記表示手段に表示し、その際２値画像添付ファイルであることを表示する再生手段と、前記表示の際、前記２値画像添付ファイルに添付されている２値画像データも再生表示するか否かを選択する選択手段とを有することを特徴とする。
【００１２】
請求項１１の発明による画像再生装置は、請求項１０記載の発明において、文字コードを入力する文字コード入力手段を設け、入力された文字コードデータと多値画像データを前記２値画像添付ファイルに格納することを特徴とする。
請求項１２の発明による画像再生装置は、請求項１０または１１記載の発明において、前記２値画像添付記録ファイル内の２値階調画像データからコードデータを特定のコードデータに変換し、変換されたコードデータと多値画像データを同一ファイルに格納することを特徴とする。
請求項１３の発明による画像再生装置は、請求項１０から１２のいずれか１項に記載の発明において、前記２値画像添付記憶手段は、画像再生装置に着脱可能であることを特徴とする。
【００１３】
請求項１４の発明によるプログラムは、被写体を撮像し撮像データを出力する撮像処理と、前記撮像データを多値階調画像データに変換する第１の画像処理と、前記撮像データを２値階調画像データに変換する第２の画像処理と、前記多値階調画像データ及び２値階調画像データを対応付けて記憶する記憶処理と、前記記憶された多値階調画像データまたは２値階調画像データを指定する指定処理と、前記指定に応じて互いに対応する前記多値階調画像データと２値階調画像データを同じファイル内に格納し２値画像添付ファイルとして記録する２値画像添付記録処理とをコンピュータに実行させるプログラムである。
【００１４】
請求項１５の発明によるプログラムは、多値階調画像データと２値階調画像データとが２値画像添付ファイルにおける多値階調画像データを再生して表示し、その際２値画像添付ファイルであることを表示する再生表示処理と、前記表示の際、前記２値画像添付ファイルに添付されている２値画像データも再生表示するか否かを選択する選択処理とをコンピュータに実行させるプログラムである。
【発明の効果】
【００１５】
請求項１，１４の発明によれば、静止画画像ファイルに文字等によるコメント等の情報を付加したい場合に、多値画像と２値画像を撮影するだけの簡単な操作で済み、前もってコメントファイルを準備したり、カメラの釦操作により文字を入力する等の煩雑な操作が不要になり、使い勝手が向上する。
【００１６】
請求項２の発明によれば、添付先ファイルの多値画像を確認しながら２値画像を撮影できるので、間違いがない。
請求項３の発明によれば、主画像（多値画像）に添付画像（２値画像）を画像合成する際のレイアウトを前もって決定でき、後作業を省力化できる。
【００１７】
請求項４の発明によれば、主画像と添付画像を完全に保持することができ、後の処理での再利用を可能にする。
請求項５の発明によれば、主画像と添付画像を一目で見ることができ、分かりやすい。
【００１８】
請求項６，１０，１５の発明によれば、主画像を再生表示しながら自動またはユーザが画像再生装置を操作することにより、２値画像も再生表示することができる。
請求項７，１１の発明によれば、添付画像をより小さな文字コードにすることができ、保存容量が少なくて済む。また、ＰＣ等での後処理上も便利になる。
請求項８，１２の発明によれば、主画像に特定のコードを付加することにより、ＰＣでの後処理上も便利になる。
【００１９】
請求項９の発明によれば、添付画像の撮影を失敗してもそのデータをキャンセルして、撮影をやり直すことができる。
請求項１３の発明によれば、２値画像添付ファイルをメモリカード等に記録することができ、便利になる。
【発明を実施するための最良の形態】
【００２０】
以下、本発明の実施形態を図面と共に説明する。
図１は本発明の実施形態によるデジタルカメラの構成を示すブロック図である。
本実施形態は、主要目的の多値画像（主画像）と文字メモ添付のための２値画像(添付画像)とを同一のファイルに格納できるカメラを提供するものである。また、主画像に付加したい文字情報を、同じカメラの２値画像撮影データから作成し、多値画像と同一ファイルに格納することで、簡単に作成できるようにする。また、付加された２値画像を文字コードに変換し、同一ファイルに格納することで、付加文字情報をＰＣなどでも効率的に扱えるような装置を提供するものである。
【００２１】
図１において、１はレンズ、２はメカニカルシャッタ、３は撮像素子としてのＣＣＤ、
４はＣＣＤ３の撮像信号を相関２重サンプリング及びＡ／Ｄ変換するＣＤＳ・ＡＤ部、５はＡ／Ｄ変換されたデジタル信号を輝度信号Ｙ、色差信号Ｕ，Ｖに変換し、そのＹＵＶデータをＪＰＥＧ圧縮するＤＳＰ部（デジタル信号処理部）、６はメカニカル部を駆動するドライバ部で、レンズ１を駆動するフォーカス駆動と、シャッタ２の開閉制御を行う。７はＣＣＤ駆動部、８はカメラ全体を制御するＣＰＵ、９は撮像した画像データ、ファイルからのリードデータを一時保持するメモリ、１０はカメラ外部との通信ドライバ部、１１はカメラに着脱可能なメモリカードである。
【００２２】
１２はＤＳＰ部５で処理された画像信号をＬＣＤ表示可能に変換する表示コントローラ及び変換された信号を表示するＬＣＤを有する表示部、１３はシャッタ釦等のユーザが操作するスイッチ部、１４はカメラに撮像される外部装置Ａで、例えばカメラ本体内の電池を充電する充電回路を内蔵する。この外部装置Ａに表示装置があれば、上記表示部１２が無い場合もある。１５は外部装置Ａに接続される外部装置Ｂで例えばＰＣ（パソコン）である。１６は音声ＣＯＤＥＣで、入力アナログ部１８(例えばマイクロフォン)からのアナログ音声信号をＡ／Ｄ変換してＤＳＰ部５に入力したり、ＤＳＰ部５からのデジタル音声信号をＤ／Ａ変換して出力アナログ部１９(例えばスピーカ)に出力する。１７は撮影した画像ファイル、録音した音声ファイルを格納したり、カメラの電源がオフされた場合でも撮影モード情報等を保持しておく不揮発メモリである。
【００２３】
図２は記録時のメイン処理を示すフローチャート、図３はメイン処理部２０及び併行  処理部３０の構成を示すブロック図である。
図３において、メイン処理部ブロック２０の各処理部２１〜２９は、図２のフローチャートの各ステップにおける処理を実行する処理部である。例えば図２のＳＷ判定処理（Ｓ１）は図３のＳＷ判定処理部２１で実行され、図２の動作モード判断処理（Ｓ２）は図３の動作モード判断処理部２２で実行される。併行処理部３０には、定期的に割り込み処理を実行する定期タイマ割り込み処理部３１がある。
【００２４】
次に、動作について説明する。
図２、図３に示すように本実施形態では、多値画像(主画像)を記録する静止画撮影モードと２値画像(添付画像)を記録する文字撮影モードがある。
本システムは、例えば２０ｍｓごとの定期タイマ割り込み処理部３１で入力されるＳＷ(スイッチ)情報をＳＷ判定処理部２１で確定して（図２のＳ１）、動作モード判断処理部２２にその情報を渡す。特に有効なＳＷ確定入力がなければ、無効操作としてＳＷ判定処理を繰り返すループとなる。有効なＳＷ確定入力があれば、その情報で動作モード判断部処理部２２は、第一ＳＷオン操作、第二ＳＷオン操作、ファイル再生操作及び表示合成操作に振り分ける（Ｓ２）。
【００２５】
静止画撮影モードまたは文字撮影モードの場合は、撮像部が駆動され、撮像データが画像処理されて、表示部１２に表示される（モニタリング表示）。図１のスイッチ部１３には、シャッタ釦があり、静止画撮影モード時は、シャッタ釦の第一ＳＷがＯＮされると、ＡＥ／ＡＦ(自動露出制御／自動焦点制御)処理部２３が処理を行う（Ｓ３）。ＣＰＵ８は、ドライバ部６によりレンズ１を動かしフォーカスを合わせる。また、撮像データをＤＳＰ部５で評価し、ＣＣＤ駆動部７に設定するＣＣＤ３の露光時間値を決める。
【００２６】
図２、図３においては、ＳＷ判定処理部２１（Ｓ１）及び動作モード判断処理部２２（Ｓ２）で、第一ＳＷオン処理判定され、ＡＥ／ＡＦ処理部２３で処理し（Ｓ３）、終了後は再びＳＷ判定処理に戻り、有効なＳＷ情報がなければ、再びなにもせず、ＳＷ判定処理に戻るループを繰り返す。次に、第二ＳＷがオンされると（Ｓ４）、撮影記録録処理が行われる。  ＣＣＤ撮像データは、ＤＳＰ部５で画像処理から圧縮まで行われ、メモリ３に書き込まれる。画像処理、圧縮処理は、静止画撮影モードと文字撮影モードとで処理が異なる。
【００２７】
静止画撮影モードで多値画像を撮影する場合は、静止画記録処理（Ｓ５）が行われる。画像処理時に、各撮像位置における Ｒ，Ｇ，Ｂデータから、その画像位置における多階調の輝度データと色データを生成する。これらのデータをＪＰＥＧなどの静止画圧縮変換し、ヘッダを付けて静止画圧縮ファイルとしてこれをメモリカード１１に書き込む（Ｓ６）。例として図４（ａ）は手書きの文字板４０を持った人を撮影している。
【００２８】
文字撮影モードでは、文字記録処理（Ｓ７）が行われる。各撮像位置周辺の平均輝度をスレッシュ値とし、その画像位置の輝度データを２値化処理する（スレッシュ値より大きければ “１”、小さければ “０”）。この２値化データを、ファクシミリでも使用されているＭＭＲなどの２値データ圧縮し、ヘッダを付けて２値圧縮ファイルとし、これをメモリカード１１に前記多値画像と対応付けて書き込む（Ｓ６）。図４（ｂ）の例では、文字板４０のみを２値画像で撮影している。通常の静止画の輝度信号、色信号は各画素１６ビットである。２値画像は、各画素を１ビットで表現できるので、単純に多値画像の１／１６となる。また、ビット列のパターンの出現頻度に応じてコードを割り当てたりすることにより、データ数をさらに小さくすることができる。
【００２９】
この他、カメラでは再生操作により、再生駒番号決定処理（Ｓ８）で、メモリカード内の再生するファイルを選択し、それをスチル再生処理（Ｓ９）で、カメラ内のメモリ９に読み込み、圧縮データを伸長して、表示部１２に表示する。
【００３０】
次に、実施形態に関して説明する。
まず、上記再生操作により撮影済み静止画画像ファイルを選択して再生し、表示部１２は撮影済み画像をスチル再生表示する。次に、撮影済み画像とこれと対応する２値画像の表示合成処理（Ｓ１０）を行う。これにより、図４（ｃ）のように、再生表示画面内の一部に縮小したモニタリング画像を表示する。撮影者は、撮影したいものをそのモニタリング表示の画角内に収める（請求項２に関する）。ここで、撮影したいものとは、再生中の静止画画像に関連して、別に２値画像として撮影したいものをいう。例えば、静止画が建設現場の画像の場合、２値画像はその工程をメモ書きした黒板などである。図４（ｃ）の例では、人を撮影した静止画画像と、その撮影前または撮影後に文字板４０のみを撮影した場合を示している。
【００３１】
この状態で 第二ＳＷオン操作をすると（Ｓ４）、自動的に文字添付撮影モードになり、文字記録処理（Ｓ１１）を実施する。処理された文字データをメモリ９にある静止画画像データのファイルと同じファイルに一緒に格納し（Ｓ１２）、これを文字付き静止画ファイル（文字添付ファイル）としてメモリカード９に記録する（請求項１、請求項４に関する）。
【００３２】
尚、図４（ｃ）の表示合成処理時の合成表示位置は、カメラ操作者がスイッチ部１３から大きさ、位置を変更可能である（請求項３に関する）。また、その大きさ、位置の情報を、上記文字付き静止画ファイルのファイルヘッダ情報に格納することもできる。文字添付ファイルは撮影後にカメラ自身やパソコン等の再生機器により、文字付き静止画を表示部１２に再生表示することができる。これらの再生機器側でファイルヘッダから文字付き静止画と判定して、文字付きである旨の表示を行うことができる。
【００３３】
図５（ａ）の例では、文字付きである旨をＭＥＭＯとして表示している（請求項６に関する）。文字付きであった場合は、自動またはユーザが再生機器を操作することにより、その２値画像の画像も図５（ｂ）のように再生表示することができる。２値画像の表示位置も、ファイルヘッダ内にある撮影時の画像合成表示時の大きさ、位置に基づいて表示することができる。また、使用者は、その状態で再生機器に操作し、静止画と２値画像を画像上で合成した新しい静止画画像ファイルも生成することもできる（請求項５に関する）。画像上の合成に関しては、 文字付き静止画ファイルを印刷装置に入力した場合に、印刷装置側で合成することも考えられる。
【００３４】
再生機器の機能としては、２値画像を文字認識して、文字コードまたは特定の対応したコードに変換可能である。コードとしては例えばバーコードでもよい（請求項８に関する）。撮影した２値画像が、手書きではなく、前もって活字として印刷されたものであれば、正しく所望のコードに変換することができる。このコード情報を２値画像データに代えて静止画データと一緒のファイルに格納してコード付き静止画にすることも可能である。これにより文字付き静止画よりさらにデータを小さくすることができ、また、再生機器でファイル内に添付されたコードで、そのコードが添付された静止画を検索することもできる。
【００３５】
さらに、文字コードにより静止画画像への後処理の内容を記載することもできる。パソコンでファイル内のコードから、撮影した画像群を一括分類したり、画像後処理したりすることもできる。尚、コードへの変換は、 自動でなくても、図５（ｃ）のように、２値画像の表示と合わせてパソコンのキーボードによる文字入力ができるようにすることもできる（請求項７に関する）。また、撮像後にメモリ９に一時記憶した２値画像データを２値画像添付ファイルとして不揮発メモリ１７に記録するかしないかを、ユーザがカメラのスイッチ部１３から選択できるようにしてもよい。これにより、添付する２値画像の撮影を失敗してもキャンセルして、撮影をやり直すことができる(請求項９に関する)。
【００３６】
尚、前述した実施形態の動作に基づく処理を、ＣＰＵ８が実行するためのプログラムは本発明によるプログラムを構成する。このプログラムを記録する記録媒体としては、半導体記憶装置や光学的及び磁気的な記憶装置等を用いることができる。このようなプログラム及び記録媒体を、前述した実施の形態とは異なる構成のシステム等で用い、そこのCPUで上記プログラムを実行させることにより、本発明と実質的に同じ効果を得ることができる。
【図面の簡単な説明】
【００３７】
【図１】本発明の実施形態によるデジタルカメラの構成を示すブロック図である。
【図２】記録時のメイン処理を示すフローチャートである。
【図３】メイン処理部及び併行処理部の構成を示すブロック図である。
【図４】撮影時の多値画像と２値画像の表示例を示す構成図である。
【図５】再生時の多値画像と２値画像の表示例を示す構成図である。
【符号の説明】
【００３８】
３    ＣＣＤ
５    ＤＳＰ部
８    ＣＰＵ
９    メモリ
１１    メモリカード
１２    表示部
１３    スイッチ部
１４    外部装置Ａ
１５    外部装置Ｂ
１７    不揮発メモリ
２１    ＳＷ判断処理部
２２    動作モード判断処理部
２４    静止画記録処理部
２５    文字記録処理部
２６    表示合成処理部
２８    スチル再生処理部
２９    カード記録処理部
【図１】
2006254389.tif 000003
【図２】
2006254389.tif 000004
【図３】
2006254389.tif 000005
【図４】
2006254389.tif 000006
【図５】
2006254389.tif 000007